(57)【要約】【課題】隙間などの掃除を行う際、ノズル体経由の流路を完全に遮断し、延長管経由の流路の吸引力を向上させることを実現できる電気掃除機を提供する。【解決手段】ハンドルユニットが電気掃除機本体に挿入された時、ハンドルユニットと掃除機本体の間はシールされ、延長管経由の流路が密閉になる。同時に、延長管の先端部は伝達機構を押し、前記回転弁を回転させ、ノズル経由の流路が開放になる。逆に、ハンドルユニットを前記掃除機本体から引き出した時、回転弁は復位バネの力により回転し、ノズル経由の流路が遮断され、延長管経由の流路が開放になる。【選択図】図２
2014217641.tif 000002
【特許請求の範囲】
【請求項１】
吸引風を発生させる電動送風機と、前記電動送風機で発生された吸引風によって吸引された塵埃を捕集する集塵部と、を有する電気掃除機本体と、
前記電気掃除機本体の下端に接続された吸引ノズル体と、
一端が前記電気掃除機本体に接続されたホースと、
前記ホースの他端に取り付けられ、前記電気掃除機本体に着脱自在に取り付けられるハンドルユニットと、
前記電気掃除機本体に設けられており、前記ハンドルユニットが前記電気掃除機本体に取り付けられた際に前記ハンドルユニットと係合し、前記ハンドルユニットを前記電気掃除機本体に保持するロック部と、
前記電気掃除機本体に設けられており、吸引ノズル体経由の流路と延長管経由の流路とを切り替えることを可能にする回転弁と、前記ハンドルユニットに属する延長管と、前記延長管の位置を検知し前記回転弁へと力を伝える伝達機構とを有し、
前記ハンドルユニットを前記電気掃除機本体に取り付けた時、前記延長管の先端は前記伝達機構を押し、前記回転弁を回転させ、ノズル経由の流路が開放になり、前記ハンドルユニットを前記電気掃除機本体から引き出した時、前記回転弁は伝達機構に設けられた復位バネの働きにより回転し、延長管経由の流路が開放になることを特徴とする電気掃除機。
【請求項２】
ノズル体経由の流路と延長管経由の流路との転換を実現する回転弁は気密性のある構造であることを特徴とする請求項１に記載の電気掃除機。
【請求項３】
前記回転弁内の流路は所定角度をなすように構成されており、この所定角度は、前記ハンドルユニットを前記掃除機本体に挿入した時は、前記ノズル体と集塵部とを繋ぎ、前記ハンドルユニットを前記掃除機本体から引出した時、前記延長管と集塵部とを繋ぐことができることを特徴とする請求項１または請求項２に記載の電気掃除機。
【発明の詳細な説明】
【技術分野】
【０００１】
本発明は、吸引ノズル体が電気掃除機本体の下端に接続され、電気掃除機本体の上端に着脱自在のハンドルユニットが装着されるアップライト型電気掃除機といった、電気掃除機に関するものである。
【背景技術】
【０００２】
アップライト型電気掃除機は、吸引風を発生させる電動送風機と、電動送風機で発生された吸引風によって吸引された塵埃を捕集する集塵部を内蔵し、掃除機本体の下端に吸引ノズル体が接続され、掃除機本体の上端にハンドルユニットが装着され、このハンドルユニットに設けられた手元ハンドルを操作することで、吸引ノズル体が掃除機本体と共に床面に沿って移動され、床面を清掃することができる。
【０００３】
このようなアップライト型電気掃除機では、隙間など床面以外の清掃を対応するために、掃除機本体の上端に取り付けられたハンドルユニットが、掃除機本体に対して着脱自在となっている。
【０００４】
この着脱自在を実現するために、掃除機本体上面のハンドルユニット装着場所の近傍に、ハンドルユニットを取り付ける着脱ボタンが設置されたものが一般的である。
【０００５】
床面清掃時は吸引ノズル体の流路を利用し、一方、隙間清掃時は延長管経由の流路を利用するため、この二つの流路を切り替える構造が必要である。
【０００６】
ハンドルユニットが掃除機本体に装着された際、ハンドルユニットの先端部と本体の収納部とがシールされ、吸引ノズル体の流路だけ開放になり、一方、ハンドルユニットの吸引口を利用し、隙間などの掃除を行う際、まず、吸引ノズル体と掃除機本体との角度を垂直にし、これにより、吸引ノズル体経由の流路が遮断される。
【０００７】
ハンドルユニットを本体から引出して、延長管経由の流路が開放になるのは一般的な構造である。
【０００８】
また、本体の後部にホース付の流路転換弁を設け、ハンドルユニットを掃除機本体に差し込んだ時、吸引ノズル体経由の流路が開放になり、ハンドルユニットを掃除機本体から引き出した時、延長管経由の流路が開放になる構造も提案されている。（例えば、特許文献１参照）。
【先行技術文献】
【特許文献】
【０００９】
【特許文献１】国際公開第００／２１４２５号
【発明の概要】
【発明が解決しようとする課題】
【００１０】
前記従来のアップライト型電気掃除機は、隙間など床面以外の清掃を行う場合、まず、掃除機本体を縦にすることが必要である。これによって、吸引ノズル体を経由する集塵通路が遮断される。次に、ハンドルユニットと掃除機本体とのロックを解除する着脱機構を押しながら、ハンドルユニットを掃除機本体から引き出して、延長管経由の流路が開放になる。
【００１１】
しかしながら、吸引ノズル体を経由する集塵通路が完全に遮断されると、本体を運転する時、本体の温度上昇が問題になったり、本体を運転したままハンドルユニットが強く吸引され、引き出しにくくなったりするので、吸引ノズル体経由の流路を部分的に遮断するため、延長管経由の流路の吸引力が落ちてしまうという問題が出てくる。
【００１２】
一方、前記特許文献のような機構については、ハンドルユニットを掃除機本体から引き出した時、流路は自動的に延長管経由の流路へと転換され、前記の従来の掃除機にある問題が解決できるのが、この流路転換を実現する構造自体は大きくて、掃除機本体のデザインや構成への影響が大きいという問題がある。
【００１３】
そこで、本発明は、隙間などの掃除を行う際、ノズル体経由の流路を完全に遮断し、延長管経由の流路の吸引力を向上させることを実現できるとともに、延長管経由の流路とノズル体経由の流路の切り替えを実現する弁の構造は小型で、掃除機本体のデザインや構成への影響を軽減できることができる電気掃除機、例えばアップライト型電気掃除機を提供することを目的とする。
【課題を解決するための手段】
【００１４】
前記目的を達成するために、本発明は、吸引風を発生させる電動送風機と、前記電動送風機で発生された吸引風によって吸引された塵埃を捕集する集塵部と、を有する電気掃除機本体と、前記電気掃除機本体の下端に接続された吸引ノズル体と、一端が前記電気掃除機本体に接続されたホースと、前記ホースの他端に取り付けられ、前記電気掃除機本体に着脱自在に取り付けられるハンドルユニットと、前記電気掃除機本体に設けられており、前記ハンドルユニットが前記電気掃除機本体に取り付けられた際に前記ハンドルユニットと係合し、前記ハンドルユニットを前記電気掃除機本体に保持するロック部と、前記電気掃除機本体に設けられており、前記吸引ノズル体経由の流路と前記延長管経由の流路とを切り替える回転弁と、前記延長管の動作を前記回転弁へと伝える伝達機構が設けられており、前記ハンドルユニットが前記電気掃除機本体に挿入された時、前記ハンドルユニットと前記掃除機本体の間はシールされ、前記延長管経由の流路が密閉になる。
【００１５】
そして同時に、前記延長管の先端部は前記伝達機構を押し、前記回転弁を回転させ、ノズル経由の流路が開放になる。
【００１６】
逆に、前記ハンドルユニットを前記掃除機本体から引き出した時、前記回転弁は前記伝達機構に設けられた復位バネの引っ張る力により回転して、ノズル経由の流路が遮断され、延長管経由の流路が開放になる。
【００１７】
回転弁は気密性のある構造であるため、延長管経由の流路を利用する際、ノズル体からの吸引力のロスがなく、延長管経由の吸引力を最大限に発揮できることを特徴とするものである。
【発明の効果】
【００１８】
本発明によれば、延長管経由の流路を利用して、隙間などの床面以外の清掃を行う際、延長管経由の流路にはロスがなく、吸引力を最大限に発揮できるので、清掃効率を向上させることが期待できる。そして、ハンドルユニットは掃除機本体への着脱により、流路の切り替えは自動的に実現され、使用性の向上を図ることができる。また、本発明の回転弁の構造は小型であるため、掃除機本体のデザインや構成への影響が軽減されることができる。
【図面の簡単な説明】
【００１９】
【図１】本発明の実施形態における電気掃除機の概略構成図。
【図２】本発明の実施形態における電気掃除機の右断面図。
【図３】本発明の実施形態における電気掃除機の流路を示す本体部の右断面図。
【図４】本発明の実施形態における電気掃除機の集塵部を示す斜視図。
【図５】本発明の実施形態における電気掃除機のノズル経由の流路を示す背面断面図。
【図６】本発明の実施形態における電気掃除機の延長管経由の流路を示す背面断面図。
【発明を実施するための形態】
【００２０】
第１の発明は、吸引風を発生させる電動送風機と、前記電動送風機で発生された吸引風によって吸引された塵埃を捕集する集塵部と、を有する電気掃除機本体と、前記電気掃除機本体の下端に接続された吸引ノズル体と、一端が前記電気掃除機本体に接続されたホースと、前記ホースの他端に取り付けられ、前記電気掃除機本体に着脱自在に取り付けられるハンドルユニットと、前記電気掃除機本体に設けられており、前記ハンドルユニットが前記電気掃除機本体に取り付けられた際に前記ハンドルユニットと係合し、前記ハンドルユニットを前記電気掃除機本体に保持するロック部と、前記電気掃除機本体に設けられており、吸引ノズル体経由の流路と延長管経由の流路とを切り替えることを可能にする回転弁と、前記ハンドルユニットに属する延長管と、前記延長管の位置を検知し、前記回転弁へと力を伝える伝達機構が設けられており、前記ハンドルユニットを前記電気掃除機本体に取り付けた時、前記延長管の先端は前記伝達機構を押し、前記回転弁を回転させ、ノズル経由の流路が開放になり、前記ハンドルユニットを前記電気掃除機本体から引き出した時、前記回転弁は伝達機構に設けられた復位バネの働きにより回転し、延長管経由の流路が開放になることを特徴とする。
【００２１】
本発明によれば、隙間など床面以外の清掃を行う場合、延長管を掃除機本体から引き出す時、回転弁の働きにより、吸引ノズル体を経由する流路が自動的に遮断される。従来の掃除機のように本体と吸引ノズル体との角度を垂直に維持する必要がなくなり、使い勝手を向上することができる。
【００２２】
第２の発明は、特に、第１の発明の電気掃除機において、ノズル体経由の流路と延長管経由の流路との転換を実現する回転弁は気密性のある構造であり、延長管流路を使用し、隙間など床面以外の清掃を行う時、ノズル体経由の流路からの空気も漏れがなく、延長管経由の流路の吸引力を最大限まで発揮でき、掃除効率の向上を期待できることを特徴とする。
【００２３】
第３の発明は、第１または第２の発明の電気掃除機において、前記回転弁内の流路は所定角度をなすように構成されており、この所定角度は、前記ハンドルユニットを前記掃除機本体に挿入した時は、前記ノズル体と集塵部とを繋ぎ、前記ハンドルユニットを前記掃除機本体から引出した時、前記延長管と集塵部とを繋ぐことができることを特徴とする。
【実施例】
【００２４】
以下、本発明の実施の形態について、図面を参照しながら説明する。なお、この実施の形態によって本発明が限定されるものではない。
（実施の形態１）
まず、図１、図２を参照して、この実施の形態に係わるアップライト型電気掃除機の概略構造を説明する。
【００２５】
図１は、アップライト型電気掃除機１を示す斜視図である。
【００２６】
このアップライト型電気掃除機１は、吸引風を発生させる電動送風機１１０と、吸引風によって吸引された塵埃を捕集する集塵室１２０と、を有する掃除機本体１００と、掃除機本体１００の下端に接続されたノズル体２００と、一端が掃除機本体１００に接続され
たホース１３０と、ホース１３０の他端に取り付けられ、掃除機本体１００に着脱自在に取り付けられるハンドルユニット３００と、を備えて構成される。
【００２７】
前記掃除機本体１００と前記ノズル体２００は、ジョイント２１０を介して、一定の角度になる回転動作ができる。
【００２８】
前記ハンドルユニット３００は、延長管３１０と手元ハンドル３２０を含んで構成されており、延長管３１０は、手元ハンドル３２０に固定された第１パイプ３１１と、第１パイプの中で摺動できる第２パイプ３１２とを有している。
【００２９】
第１パイプ３１１には凹部３１１ａが設けられており、ホルダー１４０は掃除機本体１００に固定され、シールパッキン１４１はホルダー１４０に貼り付けられ、ホルダー１４０と第２パイプ３１２の先端との接触部に位置し、ハンドルユニット３００が掃除機本体１００に装着された時、延長管３１０経由の流路がシールパッキン１４１により遮断され、第１パイプ３１１はホルダー１４０の中でＹ１−Ｙ２方向に沿って摺動することができ、ロック部１５０はホルダー１４０の穴部でＸ１−Ｘ２方向に沿って摺動することが可能である。
【００３０】
ハンドルユニット３００を掃除機本体１００に装着した際、第１パイプ３１１の先端部はホルダー１４０と接触しており、第１パイプ３１１とロック部１５０は凹部３１１ａで係合されている。
【００３１】
これにより、ハンドルユニット３００が掃除機本体１００に固定され、使用者は手元ハンドルの握り部３２１を保持して、このアップライト型電気掃除機１を操作して床面清掃を行うことができる。
【００３２】
掃除機本体１００内部には、ノズル体２００経由の流路と延長管３１０経由の流路を切り替える回転弁５００と、延長管３１０の力を回転弁５００へ伝達する伝達機構６００が設けられており、第２パイプ３１２は第１パイプ３１１の中で摺動できる構造になっているので、第２パイプ３１２を第１パイプ３１１から引き出しての様々な状況での清掃に対応することができる。
【００３３】
このように、この実施の形態に係わるアップライト型電気掃除機１は、床面清掃時には、ハンドルユニット３００を掃除機本体１００に装着して、使用者は手元ハンドル３２０の握り部３２１を保持して床面清掃を行うことができる。
【００３４】
一方、隙間など床面以外の場所を清掃する時、ハンドルユニット３００を掃除機本体１００から取り出してから、延長管３１０の先端吸引口を利用して清掃を行うことができる。
【００３５】
次に、図２〜図４を参照して、流路について説明する。
【００３６】
ノズル体２００の吸引口２００ａから吸い込まれた塵埃の混ざった空気Ｐ１は、ジョイント２１０を通り合流部１００ｃに達する。同様に延長管３１０の延長管吸引口３１２ａから吸い込まれた塵埃の混ざった空気Ｐ２もホース１３０を通り、合流部１００ｃに達する。
【００３７】
合流部１００ｃと集塵室１２０の吸気口１２０ｂは連通しており、塵埃は、メッシュフィルター１２１及びプリーツフィルター１２２によって塵埃と空気とに分離される。
【００３８】
集塵室１２０の吸気口１２０ｂと電動送風機１１０は、掃除機本体１００の後方の略上端から略下に掛けて形成された風路１００ｄで連通されており、集塵室１２０にて分離させた清浄な空気Ｐ３は、電動送風機１１０へ吸引される。
【００３９】
また、電動送風機１１０から排出される排気風Ｐ４は掃除機本体１００
の後方に形成された排気格子１ｅを通じ外部へと排出される。
【００４０】
次に、図５を参照して、ノズル体経由の流路を利用し、床面掃除時の回転弁の動作を説明する。
【００４１】
この時、ハンドルユニット３００は掃除機本体１００に挿入されており、第２パイプ３１２の先端部からの押す力は伝達機構６００の第１連結部６２０と第２連結部６３０を介して、回転弁５００へと伝えられ、回転弁５００の曲がりパイプ５１０の曲がりパイプ開口ａはノズルからの流路と繋がれ、反対側曲がりパイプ開口ｂは集塵室１２０の集塵室吸引口１２０ａと繋がれ、ノズル体２００の吸引口２００ａから吸い込まれた塵埃の混ざった空気Ｐ１は、曲がりパイプ５１０と、メッシュフィルター１２１及びプリーツフィルター１２２を通り、分離させた清浄な空気Ｐ３は電動送風機１１０へ吸引される。
【００４２】
次に、図６を参照して、延長管経由の流路を利用し、隙間などの床面以外を清掃する時の回転弁の動作を説明する。
【００４３】
ハンドルユニット３００は掃除機本体１００から引き出したため、伝達機構６００の第１連結部６２０は復位バネ６１０の力を受け上方へ移動する。この動きは第２連結部６３０を介して、回転弁５００をＶ方向に所定角度回転させる。
【００４４】
その結果、回転弁５００の曲がりパイプ開口ａは集塵室１２０の集塵室吸引口１２０ａと繋がれ、曲がりパイプ開口ｂ５００ｂはホース１３０を経由して延長管３１０と繋ぎ、延長管３１０の先端から吸い込まれた塵埃の混ざった空気Ｐ１は、曲がりパイプ５１０と、メッシュフィルター１２１及びプリーツフィルター１２２を通し、分離させた清浄な空気Ｐ３は、電動送風機１１０へ吸引される。
【産業上の利用可能性】
【００４５】
以上のように、本発明に関わる電気掃除機は、延長管経由の流路を利用して、隙間などの床面以外の清掃を行う際、延長管経由の流路にはロスがなく、吸引力を最大限に発揮できるので、清掃効率を向上させることが期待できる。そして、ハンドルユニットの掃除機本体への着脱により、流路の切り替えは自動的に実現され、使用性の向上を図ることができる。また、本発明の回転弁の構造は小型であるため、掃除機本体のデザインや構成への影響が軽減されることができ、各種のアップライト式電気掃除機に適用できる。
【符号の説明】
【００４６】
１…アップライト型電気掃除機
１００…掃除機本体
１１０…電動送風機
１２０…集塵室
１２０ａ…集塵室吸引口
１３０…ホース
１４０…ホルダー
１５０…ロック部
２００…ノズル体
２００ａ…吸引口
２１０…ジョイント
３００…ハンドルユニット
３１０…延長管
３１１…第１パイプ
３１１ａ…凹部
３１２…第２パイプ
３１２ａ…延長管吸引口
３２０…手元ハンドル
５００…回転弁
５１０…曲がりパイプ
６００…伝達機構
６１０…復位バネ
６２０…第１連結部
６３０…第２連結部
１００ｃ…合流部
１ｅ…排気格子
【図１】
2014217641.tif 000003
【図２】
2014217641.tif 000004
【図３】
2014217641.tif 000005
【図４】
2014217641.tif 000006
【図５】
2014217641.tif 000007
【図６】
2014217641.tif 000008